(57)【要約】【課題】他の光学部品との光軸調整が容易な光路変換素子を提供する。【解決手段】キューブ型のビームスプリッタ３と、このビームスプリッタ３をその出射面３ａ、３ｂが開放されるように埋め込み一体化した樹脂製の素子本体４とからなり、前記素子本体４は、光ファイバ２ａをビームスプリッタ３の入射面３ｃに対向するように収容固定するための光ファイバ穴４ａを有するとともに、ビームスプリッタ３の反射方向に向かう素子本体位置決め用の位置決め穴４ｃを有する。また、透過方向に向かう位置決め穴４ｄを有する。ビームスプリッタ３が素子本体４に埋め込み一体化されているので、光の出射方向の正確さを容易に確保することができ、他の光学部品との光軸調整が容易になる。光機器内配線の省スペース化及び光機器の小型化、光配線作業の作業性向上が図られる。【選択図】図１
2007114319.tif 000002
【特許請求の範囲】
【請求項１】
キューブ型のビームスプリッタと、このビームスプリッタをその出射面が開放されるように埋め込み一体化した樹脂製の素子本体とからなり、前記素子本体は、光ファイバを前記ビームスプリッタの入射面に対向するように収容固定するための光ファイバ収容部を有するとともに、ビームスプリッタの反射方向に向かう素子本体位置決め用の位置決め穴を有することを特徴とする光路変換素子。
【請求項２】
前記素子本体が、ビームスプリッタの透過方向に向かう素子本体位置決め用の位置決め穴も有することを特徴とする請求項１記載の光路変換素子。
【請求項３】
請求項１又２の光路変換素子を用いた光路変換素子付き光ファイバテープであって、光路変換素子における素子本体に設けた複数の光ファイバ収容部に光ファイバテープの各光ファイバをそれぞれ収容固定してその先端をビームスプリッタに対向させたことを特徴とする光路変換素子付き光ファイバテープ。
【請求項４】
前記複数の光ファイバ収容部がそれぞれ位置決め溝であり、各位置決め溝に光ファイバテープの各光ファイバを収容し、その先端をビームスプリッタに対向させた状態で、その上から蓋を被せ接着固定したことを特徴とする請求項３記載の光路変換素子付き光ファイバテープ。
【発明の詳細な説明】
【技術分野】
【０００１】
この発明は、光機器内配線に際して、光ファイバから出射される光の方向を変換する光路変換素子、及びこれを備えた光路変換素子付き光ファイバテープに関する。
【背景技術】
【０００２】
光機器内配線に際して、光ファイバから出射される光の方向を変換する場合、光ファイバの先端にミラーやプリズムを対峙させて光路を９０°変換する方法（特許文献１、特許文献２等）が一般的である。
また、光ファイバから出射される光の方向を２方向に分岐する場合も、光ファイバの先端にハーフミラーやキューブ型のビームスプリッタ（ビームスプリッタキューブ（以下、単にビームスプリッタという））を対峙させる方法が一般的である。
上記のようにハーフミラーやビームスプリッタを用いたこの種の従来の光路変換素子において、ハーフミラーやビームスプリッタは、基板その他のベース部材上で、光ファイバの先端に対峙させて取り付けらる。
【特許文献１】特開平２−３３１２１号
【特許文献２】特開平９−２６５２５号
【発明の開示】
【発明が解決しようとする課題】
【０００３】
上記のように、従来の光路変換素子では、ハーフミラーやビームスプリッタは基板その他のベース部材に取り付けられるが、光ファイバとの位置関係や光の出射方向の正確さを確保することは容易でない。また、ハーフミラーやビームスプリッタの取り付けを含めた光配線作業も簡単ではない。さらに、ハーフミラーやビームスプリッタの取り付けスペースが広くなり、光機器の小型化が困難になるという問題もある。
【０００４】
本発明は上記従来の欠点を解消するためになされたもので、光の出射方向の正確さを容易に確保することができて他の光学部品との光軸調整が容易で、また光機器内配線の省スペース化及び光機器の小型化を図ることができ、さらに光配線作業の作業性向上を図ることができる光路変換素子、及びこれを備えた光路変換素子付き光ファイバテープを提供することを目的とする。
【課題を解決するための手段】
【０００５】
上記課題を解決する本発明の光路変換素子は、キューブ型のビームスプリッタと、このビームスプリッタをその出射面が開放されるように埋め込み一体化した樹脂製の素子本体とからなり、前記素子本体は、光ファイバを前記ビームスプリッタの入射面に対向するように収容固定するための光ファイバ収容部を有するとともに、ビームスプリッタの反射方向に向かう素子本体位置決め用の位置決め穴を有することを特徴とする。
【０００６】
請求項２は、請求項１において、素子本体が、ビームスプリッタの透過方向に向かう素子本体位置決め用の位置決め穴も有することを特徴とする。
【０００７】
請求項３は、請求項１又２の光路変換素子を用いた光路変換素子付き光ファイバテープであって、光路変換素子における素子本体に設けた複数の光ファイバ収容部に光ファイバテープの各光ファイバをそれぞれ収容固定してその先端をビームスプリッタに対向させたことを特徴とする。
請求項４は、請求項３の光路変換素子付き光ファイバテープにおいて、複数の光ファイバ収容部がそれぞれ位置決め溝であり、各位置決め溝に光ファイバテープの各光ファイバを収容し、その先端をビームスプリッタに対向させた状態で、その上から蓋を被せ接着固定したことを特徴とする。
【発明の効果】
【０００８】
本発明の光路変換素子あるいは光路変換素子付き光ファイバテープによれば、素子本体にビームスプリッタを埋め込み一体化しかつその入射面に対向させた光ファイバ収容部を設けているので、ビームスプリッタと光ファイバとの位置関係を設計通りに正確に設定でき、ビームスプリッタにおける反射方向の光軸を設計通りに正確に設定できる。
また、素子本体に、ビームスプリッタの反射方向に向かう素子本体位置決め用の位置決め穴を設けているので、この位置決め穴と基板その他のベース部材側にあけた位置決め穴とに嵌合ピンを嵌入させることで、ベース部材側に対する光軸調整を正確に行うことができ、ベース部材側の他の光学部品との光軸調整が容易になる。また、この光路変換素子の着脱は嵌合ピンの着脱で行うことができるので、光路変換素子の着脱が容易になる。
したがって、光機器内における光路変換配線の作業性が向上し、光機器の製造コストを低減できる。また、ビームスプリッタが素子本体に埋め込まれていることで、光路変換のためのスペースが狭く済み、光機器の小型化が可能となる。
【０００９】
請求項２によれば、ビームスプリッタの反射方向に向かう素子本体位置決め用の位置決め穴とともに透過方向に向かう素子本体位置決め用の位置決め穴を備えているので、光分岐器として用いる場合に、上記請求項１の場合の効果とともに、光の反射方向及び透過方向の２方向の光軸を設計通りに正確に設定でき、他の光学部品との光軸調整が容易になる。
【発明を実施するための最良の形態】
【００１０】
以下、本発明を実施した光路変換素子、及びこれを備えた光路変換素子付き光ファイバテープについて、図面を参照して説明する。
【実施例１】
【００１１】
図１は本発明の一実施例の光路変換素子１を取り付けた光路変換素子付き光ファイバテープ２の斜視図、図２は図１における要部のみを示した斜視図、図３は光路変換素子付き光ファイバテープ２の平面図、図４は図３のＡ−Ａ断面図、図５は図３のＢ−Ｂ断面図である。
光路変換素子１は、キューブ型のビームスプリッタ３と、このビームスプリッタ３をその透過面３ａ及び反射面３ｂの２つの出射面が開放されるように埋め込み一体化した樹脂製の素子本体４からなっている。
ビームスプリッタ３は２つの三角プリズムを誘電体薄膜３ｄを介在させて貼り合わせたキューブ構造であるが、図示例のビームスプリッタ３は偏光ビームスプリッタであり、入射面３ｃから入射した直線偏光をＰ方向成分（透過光）とＳ方向成分（反射光）に分離して、透過面３ａ又は反射面３ｂから出射する。
前記素子本体４は、例えばＰＰＳ（ポニフェニレンスルファイド）やエポキシ樹脂等の樹脂製であり、図示例では４心の光ファイバテープ２の各光ファイバ２ａを前記ビームスプリッタ３の入射面３ｃに対向するように収容固定するための光ファイバ穴（光ファイバ収容部）４ａ及び被覆部収容部４ｂを有している。また、素子本体４の上から見てビームスプリッタ３の左右両側位置に、ビームスプリッタ３の反射方向に向かう素子本体位置決め用の２つの位置決め穴４ｃを有し、かつ、正面から見て（図５参照）ビームスプリッタ３の両側位置に、透過方向に向かう素子本体位置決め用の２つの位置決め穴４ｄを有している。図示例の位置決め穴４ｃ、４ｄは、それぞれ位置決め用の嵌合ピン６、７を嵌合させる嵌合ピン穴である。なお、各断面図において、ビームスプリッタ３及び光ファイバ２ａは断面であってもハッチングを省略している。
【００１２】
上記の光路変換素子１を第１の他部品（フェルールや光電子混載基板など）に取り付ける場合、この第１の他部品側に位置決め用の嵌合ピン穴をあけ、光路変換素子１の反射方向に向かう位置決め穴４ｃに嵌入した嵌合ピン６を第１の他部品側の嵌合ピン穴に嵌入させる。この光路変換素子１を、単なる光路変換の目的で使用する場合には、これにより、分岐した反射光を正確に所定方向に方向変換して出射することができる。
また、光ファイバ２ａを伝送された光を分岐する目的で使用する場合は、さらに、透過方向の第２の他部品（フェルールや光電子混載基板など）に位置決め用の嵌合ピン穴をあけ、光路変換素子１の透過方向に向かう位置決め穴４ｄに嵌入した嵌合ピン７を第２の他部品側の嵌合ピン穴に嵌入させる。これにより、透過光は第２の他部品の光導波路と正確に位置決め接続される。
【００１３】
上記の通り、素子本体４にビームスプリッタ３を埋め込み一体化しかつその入射面３ｃに対向させた光ファイバ穴（光ファイバ収容部）４ａを設けているので、ビームスプリッタ３と光ファイバ２ａとの位置関係を設計通りに正確に設定でき、ビームスプリッタ３における反射方向の光軸を設計通りに正確に設定できる。
また、素子本体４に、ビームスプリッタ３の透過方向及び反射方向の２方向に向かう素子本体位置決め用の位置決め穴６、７を設けているので、この位置決め穴６、７と他部品（光電子混載基板やフェルール等）側にあけた位置決め穴とにそれぞれ嵌合ピンを嵌入させることで、光の反射方向及び透過方向の２方向の光軸を設計通りに正確に設定でき、他の光学部品との光軸調整が容易になる。
また、この光路変換素子１の着脱は嵌合ピン６、７の着脱で行うことができるので、光路変換素子１の着脱は容易である。
したがって、光機器内における光路変換配線の作業性が向上し、光機器の製造コストを低減できる。また、ビームスプリッタが素子本体に埋め込まれていることで、光路変換のためのスペースが狭く済み、光機器の小型化が可能となる。
【実施例２】
【００１４】
なお、上記実施例ではビームスプリッタ３が、偏光ビームスプリッタであるとしたが、非偏光のビームスプリッタを用いることもできる。この場合、透過光と反射光との分割比は、必要に応じて、誘電体多層膜を適切に設定することで同じ分割比又は異なった分割比とすることができる。
また、ビームスプリッタ３の出射面３ａ、３ｂに誘電体多層膜フィルタを形成して、波長分割機能を持つ光路変換素子とすることができる。この場合、主信号によって情報伝達を行い、副信号によって光学素子の診断（どの光学素子が故障しているか）を行うことも可能となる。
また、上記の光路変換素子１を２個以上組み合わせることによって、単に直角方向だけでなく、自由度の高い光軸変更が可能となる。
また、ビームスプリッタ３の入射面３ｃに無反射コーティングを施して、反射減衰量を低減することができる。
【実施例３】
【００１５】
上記実施例では、光ファイバ収容部として素子本体４に光ファイバ穴４ａを形成したが、図６、図７に示した光路変換素子１’のように、素子本体４’にＶ溝などの光ファイバ収容溝４ａ’を形成し、その先端をビームスプリッタ３の入射面３ｃに対向させた状態で、その上から蓋１０を被せ接着固定した構造としてもよい。
また、対象とする光ファイバの心数は、複数本に限らず１本でもよく、任意である。
【図面の簡単な説明】
【００１６】
【図１】本発明の一実施例の光路変換素子付き光ファイバテープの斜視図である。
【図２】図１における要部のみを示した斜視図である。
【図３】上記光路変換素子付き光ファイバテープの平面図である。
【図４】図３のＡ−Ａ断面図である。
【図５】図３のＢ−Ｂ断面図である。
【図６】本発明の他の実施例の光路変換素子付き光ファイバテープの断面図である。
【図７】図６の要部のＣ−Ｃ拡大断面図である。
【符号の説明】
【００１７】
１、１’  光路変換素子
２        光ファイバテープ
２ａ      光ファイバ
３      ビームスプリッタ
３ａ    透過面
３ｂ    反射面
３ｃ    入射面
３ｄ    誘電体多層膜
４、４’  素子本体
４ａ      光ファイバ穴（光ファイバ収容部）
４ｂ      被覆部収容部
４ｃ、４ｃ’  （反射方向に向かう）位置決め穴
４ｄ、４ｄ’  （透過方向に向かう）位置決め穴
４ａ’    位置決め溝（光ファイバ収容部）
６、７    嵌合ピン
１０    蓋
【図１】
2007114319.tif 000003
【図２】
2007114319.tif 000004
【図３】
2007114319.tif 000005
【図４】
2007114319.tif 000006
【図５】
2007114319.tif 000007
【図６】
2007114319.tif 000008
【図７】
2007114319.tif 000009